(57)【要約】【課題】便箋を傷つけることなく、簡単に開封することができ、開封後の見た目が良く、そのまま保管することができる封筒を提供する。【解決手段】封筒１の封じ片１０が、折り返しがなされる折線２０と貼着がなされる貼着部分３０との間に、非貼着部分４０を備えている。この非貼着部分４０にミシン線６０を設け、このミシン線６０上に開封用の切り糸７０が糊付けされている。非貼着部分４０の少なくとも一端が、一定の形状に千切れるようになっている。【選択図】図１
2009029488.tif 000002
【特許請求の範囲】
【請求項１】
開口した一辺に備えられた封じ片を折り返して貼着することにより封緘するようになっている封筒であって、
前記封じ片は、前記折り返しがなされる折線と前記貼着がなされる貼着部分との間に非貼着部分を備え、該非貼着部分にミシン線が設けられると共に該ミシン線上に開封用の切り糸が糊付けされていることを特徴とする封筒。
【請求項２】
前記非貼着部分の幅が、５ｍｍ以上であることを特徴とする請求項１に記載の封筒。
【請求項３】
前記非貼着部分の少なくとも一端が、一定の形状に千切れる摘みを備えていることを特徴とする請求項１又は２に記載の封筒。
【請求項４】
前記一定の形状が、円形、三角形又は四角形であることを特徴とする請求項３に記載の封筒。
【発明の詳細な説明】
【技術分野】
【０００１】
本発明は、封筒の開封を簡単に行う切り糸を備える封筒に関し、特に、開封後の見栄えがよい封筒に関する。
【背景技術】
【０００２】
従来、封筒を受け取った人は、封筒を指で引き千切るか、鋏やカッターを用いて開封していた。そして、開封部が醜く千切れてしまったり、中の便箋まで傷付けてしまったりすることがあった。このために、開封する際には気を付けて開封する必要があった。
【０００３】
このような問題を解決して簡単に開封することができる封筒として、例えば、特許文献１に記載された封筒が知られている。図４に示すように、この文献に記載された封筒１０１は、封じ片１１０の折り返しがなされる折線１２０上に切り糸１７０を糊付けすると共に、上部両端が三角形に千切れるようにミシン線１６０を備えている。そして、ミシン線１６０に沿って上端部を千切り、そのまま引っ張ると、切り糸１７０によって折線１２０が切り開かれ、開封できるようになっている。
【０００４】
このような方法は、短時間で簡単に開封することができるので、非常に便利である。しかしながら、中の便箋を傷付ける心配があり、切り糸１７０により切り開かれた切口がギザギザとなることは避けられず、開封後に多少の醜さが残るのが難点である。特に、手紙を封筒１０１と共に保管しておく場合には、再度挟みやカッターを用いて、上辺分の見た目を良くする必要がある。
【特許文献１】実開昭５３−８０７２４号公報
【発明の開示】
【発明が解決しようとする課題】
【０００５】
本発明は上記の課題を解決したものであり、中の便箋を傷付けることなく、短時間で簡単に開封することができる封筒を提供することを目的とする。そして、開封後においても見た目が良く、そのまま保管することができる封筒を提供することを目的とする。
【課題を解決するための手段】
【０００６】
上記の課題を解決するために、本発明の請求項１に係る封筒は、開口した一辺に備えられた封じ片を折り返して貼着することにより封緘するようになっている封筒であって、前記封じ片は、前記折り返しがなされる折線と前記貼着がなされる貼着部分との間に非貼着部分を備え、該非貼着部分にミシン線が設けられると共に該ミシン線上に開封用の切り糸が糊付けされている手段を採用している。
【０００７】
また、本発明の請求項２に係る封筒は、請求項１に記載の封筒であって、前記非貼着部分の幅が、５ｍｍ以上である手段を採用している。また、本発明の請求項３に係る封筒は、請求項１又は２に記載の封筒であって、前記非貼着部分の少なくとも一端が、一定の形状に千切れる摘みを備えている手段を採用している。また、本発明の請求項４に係る封筒は、請求項３に記載の封筒であって、前記一定の形状が、円形、三角形又は四角形である手段を採用している。
【発明の効果】
【０００８】
本発明の封筒は、上記の手段を採用することにより、中の便箋を傷付けることなく、短時間で簡単に開封することができる。また、開封後の切口が封筒の裏面となるために、表面を見る限り切口が見えない。また、裏面を見た場合においても、封筒の周辺は傷付いていないので、切口に多少のギザギザがあっても、殆ど気にならない。このため、開封後においても見た目が良く、そのまま保管することができる。
【発明を実施するための最良の形態】
【０００９】
以下、図面に示す本発明の実施の形態について説明する。
図１及び図２には、本発明による封筒についての一実施の形態を示している。図１は封緘する前の封筒の裏面を示し、図２は封緘された状態の封筒の裏面を示している。
【００１０】
本発明の封筒１は、開口した一辺に備えられた封じ片１０を折り返して貼着することにより封緘するようになっている。すなわち、封じ片１０は、折線２０に沿って裏面側に折り返しがなされる。封じ片１０の裏面端部側には貼着剤が施された貼着部分３０を備えており、折り返された封じ片１０が、本体５０側に貼着されるようになっている。
【００１１】
折線２０と貼着部分３０との間には、貼着剤が施されていない非貼着部分４０を備えている。非貼着部分４０の幅は、５ｍｍ以上であることが好ましく、１０ｍｍ前後とすることがより好ましい。本発明の封筒１は、この非貼着部分４０に折線２０とほぼ平行にミシン線６０が設けられ、さらに、このミシン線６０上に開封用の切り糸７０が糊付けされていることを特徴としている。
【００１２】
切り糸７０は、その端部が封じ片１０から少しはみ出すようにすると、開封時には、はみ出した切り糸７０の端部を摘んで引っ張ることにより、開封することができる。また、非貼着部分４０の少なくとも一端が一定の形状に千切れるように形成されていると、非常に便利である。
【００１３】
例えば、図３（ａ）は、非貼着部分４０の一端が円形の摘み８０を備えている例を示している。円形の摘み８０は、ミシン線６０の上下にわたって円形のミシン目が設けられている。図３（ｂ）は、非貼着部分４０の一端が三角形の摘み８０を備えている例を示している。三角形の摘み８０は、ミシン線６０の上下にわたって三角形のミシン目が設けられている。図３（ｃ）は、非貼着部分４０の一端が四角形の摘み８０を備えている例を示している。四角形の摘み８０は、ミシン線６０の上下にわたって四角形のミシン目が設けられている。
摘み８０は、その他の任意の形状とすることが可能であり、封じ片１０の一端だけに設けても良く、また、両端に設けることもできる。
【００１４】
摘み８０は、非貼着部分４０に設けられているので、封緘した後においても指で摘むことが可能である。したがって、封緘された図２の状態から開封する場合において、摘み８０を指で摘むことにより、切り糸７０の一端を指で摘むことができる。そして、そのまま切り糸７０を引っ張ると、ミシン線６０に沿って封じ片１０が切り開かれることになる。
【００１５】
切り口は、ミシン線６０に沿ったものとなるために、ギザギザが少なく綺麗な切り口となる。しかも、切り口は封筒１の裏面であり、上辺から少し離れた位置となるので、例えギザギザがあっても目立たず、表面からは全く見えないのでそのまま保管することもできる。
【図面の簡単な説明】
【００１６】
【図１】本発明の封筒であって、封緘する前の裏面を示す概略図である。
【図２】本発明の封筒であって、封緘した後の裏面を示す概略図である。
【図３】本発明の封筒であって、摘みの詳細を示す概略図である。
【図４】従来の封筒の一例を示す概略図である。
【符号の説明】
【００１７】
１、１０１    封筒
１０、１１０    封じ片
２０、１２０    折線
３０    貼着部分
４０    非貼着部分
５０    封筒本体
６０、１６０    ミシン線
７０、１７０    切り糸
８０    摘み
【図１】
2009029488.tif 000003
【図２】
2009029488.tif 000004
【図３】
2009029488.tif 000005
【図４】
2009029488.tif 000006